(57)【要約】      （修正有）【課題】腰椎椎間板ヘルニヤによる症状改善用の身体装着型腰椎負荷軽減装具を提供する。【解決手段】従来ベット上で受けていた腰椎牽引を、起立の状態で、腰椎にかかる上半身体重負荷を両腋受け具１で受け、支柱２と支柱受け３を経由し腰部骨盤ベルト４で直接骨盤に伝える事により、腰椎にかかる負荷を軽減する牽引効果を、日常生活の中で出来る身体密着性の高い、身体装着型腰椎負荷軽減装具である。【選択図】図１０
0003189938.tif 000002
【実用新案登録請求の範囲】
【請求項１】
腋受け具１と支柱２の接続部は、腕の動き及び上半身の捻じれ応力を、支柱２に伝えない回転可能な嵌合構造で、支柱２との分離及び再接合が容易に行える構造とし、一時的に支柱２との接続を外す場合に、腋受け具１が落下しない様、落下防止紐１ｄ及び安定紐１ｅを設け、再接続使用が円滑に行える腋受け具１とし、上半身の荷重を受け継ぐ支柱２は、胸部側面の体形に適合した曲線状とし密着性を向上し、腋部と腰部を連結する為、上半身の捻じれ  前屈等の応力を解消する機構を腋受け具１と、負荷を受け継ぐ支柱受け３  との間に持つ、支柱受け３は、腰部骨盤ベルト４に平面接続面ファスナー３ｃと４ｄで装着されるが、４ｄは上下前後に余裕を持つことで取り付け位置の微調整を行う、腰部骨盤ベルト４はベルト上部に骨盤のウエスト部を締め付ける非伸縮性強靭帯４ａを持ち、その下部に骨盤包容帯４ｂを有し、骨盤包容帯４ｂの左右骨盤腸骨部には伸縮性柔軟帯４ｃを備え、骨盤腸骨上部を確実に把握する形状を成形する事により、上方からの負荷により下方にずれない構造とし、日常生活の中で腰椎牽引が出来る、身体装着型腰椎負荷軽減装具。
【考案の詳細な説明】
【技術分野】
【０００１】
腰椎椎間板ヘルニアによる、歩行不全  腰痛などの症状を改善する、身体の機能補助具としての身体に装着する、腰椎負荷軽減装具に関するもの。
【背景技術】
【０００２】
松葉杖が、体重維持機能補助具として知られている。
【先行技術文献】
【特許文献】
【０００３】
【特許文献１】特願２０００−２８７７５７
【考案の概要】
【考案が解決しようとする課題】
【０００４】
松葉杖は、通常の生活動作を行う上で不便性が大きいうえ、使用状態は外見上も一目瞭然で、精神的にも負担が大きい。
【０００５】
従来品では、一時的に装具を２分割する場合、腋受け具１が落下する不具合があった。
【０００６】
従来品の腋受け具１と支柱２は固定結合であったので、上半身の捻じれ応力により支柱２と支柱受け３との接合部の損傷が避けられなかつた。
【０００７】
従来品の装具２分割は、支柱２と支柱受け３との接合部で行っていたが、装着位置がズボンのベルトの下で、再接合時は非常に困難であった。
【０００８】
従来品の支柱２は形状が直線で胸部側面の体形に適合せず、密着性コンパクト性に欠けた。
【０００９】
従来品の腰椎帯は、腰部全体を締め付けるような構造で、時間の経過と共に、上方からの負荷により下方えずり落ちる欠陥があった。
【００１０】
従来品は金属製部品を使用していた為、空港の金属探知ゲートでは、装具の取り外し取り付けを余儀なくされた。
【課題を解決するための手段】
【００１１】
本考案は、松葉杖の着地点を、骨盤上に装着した腰部骨盤ベルト４上とし、身体装着型にすると共に、上着を着用した状態で、外見上装具着用が、認知されにくい構造とした。
【００１２】
腋受け具１に、落下防止紐１ｄ及び安定紐１ｅを設けた。
【００１３】
２分割接続部を腋受け具１と支柱２で行う事とし、接合方法を遊動嵌合式とした。
【００１４】
支柱２の形状を、胸部側面の線形に合わせ密着性を高めた、支柱下部２ａの先端部の形状は凸円弧状とし、上部からの負荷に十分耐える強度を持つと共に、前後の振れ動作に対し円滑に擦動する構造とした。
【００１５】
支柱受け３は、上半身の前後揺動により損傷しない様、約３度の前後振れ余裕を持つ構造とし、支柱２との接触面は凹円弧状とする。
【００１６】
腰部骨盤ベルト４は、骨盤周りの位置形状に合わせ、役割を分担した組成とし、最上部に骨盤を乗り越えない、ウエスト部を締め付ける非伸縮性強靭帯４ａを設け、その下部に骨盤腸骨部を確実に把握する伸縮性柔軟帯４ｃを持つ構造とした。
【００１７】
使用材料を全て非金属性とし、合成樹脂合成繊維綿を使用した。
【考案の効果】
【００１８】
従来、ベット上で受けていた腰椎牽引を、起立の状態で腰椎にかかる上半身体重負荷を、両腋受け具１で受け、支柱２支柱受け３腰部骨盤ベルト４を経由して骨盤に伝える事により、腰椎にかかる負荷を軽減する牽引効果を、日常生活の中で受ける事が出来る。
【００１９】
腋受け具１に落下防止紐１ｄ及び１ｅを設けたので、装具の２分割再接続が容易になった。
【００２０】
２分割接続部を、腋受け具１と支柱２で行う事とした為、分割再  接続が容易となり、支柱家３の損傷が防止された。
【００２１】
軽量コンパクト密着性を達成しており、外観的にも装着実態を視認されない。
【００２２】
腰部骨盤ベルト４は、上部からの負荷を受け続けても、ずり落ちる事
が無く安定使用が可能となった。
【００２３】
非金属性を達成した事により、空港等での金属探知ゲートの通過が容易
となり、常時腰椎牽引が行える。
【図面の簡単な説明】
【００２４】
【図１】図１は組立全体図
【図２】図２は腰部骨盤ベルト４
【図３】図３は腋受け具１  正面図
【図４】図４は腋受け具１  側面図
【図５】図５は支柱２      正面図
【図６】図６は支柱２      側面図
【図７】図７は支柱受け３  正面図
【図８】図８は支柱受け３  側面図
【図９】図９は装具着用    正面図
【図１０】図１０は装具着用    側面図
【考案を実施するための形態】
【００２５】
腋受け具１は、上半身体重を受ける腋受け部１ａと、前後にずれな
い様に腋前後に密着し、上方に開いたＵ型半円弧状のずれ防止部１ｂ  負
荷を下部に伝える支柱接続部１ｃを備える、支柱接続部１ｃと支柱２の接続は、腕の動き及び上体の捻じれに合わせ回転可能な嵌合構造とし、支柱２に捻じれ応力の伝達を防止すると共に、一時的に装具を分割する箇所とする、一時的に支柱２との接続を外す場合、腋受け具１が落下しない様落下防止紐１ｄを設けた、落下防止紐１ｄは、ずれ防止部１ｂの右Ｕ型前先端から首の後ろを通り、左Ｕ型前先端に至る、左右Ｕ型後ろ先端から落下防止紐１ｄとの間に腋受け具１を安定させる安定紐１ｅを接続する安定紐１ｅは、着脱時の容易性を計るため、落下防止紐１ｄとの接続を固定せず、スライド可能状態とする。
【００２６】
支柱２は強度と軽量化を計るため、中空硬質合成樹脂管とする、支柱
２は、密着性を高める為、装着者の胸部側面の線形に合わせた形状とする、支柱２は、腋部と腰部を連結する為、上半身の捻じれ前屈等の動作を吸収する機構を、腋受け具１及び支柱受け３との間に設ける、支柱下部２ａ  は、支柱受け３の支柱接続部３ａとの接続  取り外しが簡便であり、十分な強度を有する構造とし、前後の振れに対応するよう、如何なる角度でも円滑に伝えるよう、支柱受け３との接触面は凸円弧状とする。
【００２７】
支柱受け３は、支柱接続部３ａで、支柱２を受けるが、着脱は支柱２を上方から差し込むワンタッチ式とする、接続状態で、歩行時の腕の振れ及び上半身の前屈動作に対応する為、前後方向に約３度の屈折可能な余裕をもつ構造とし、支柱２との接触面は凹円弧状とする、支柱２が、支柱受け３と合体した後分離しない様、止めピン３ｂを備える、腰部骨盤ベルト４への装着には平面接続面ファスナー３ｃを備える、接続面積は５０平方センチメートル以上とする。      
【００２８】
腰部骨盤ベルト４は、上部に骨盤上部のウエスト部を締め付ける幅
約３ｃｍの非伸縮性強靭帯４ａを持ち、その下部に幅約１０ｃｍの骨盤
包容帯４ｂを有し、骨盤包容帯４ｂの左右骨盤腸骨部の約１６ｃｍは、
伸縮性柔軟帯４ｃとし、骨盤腸骨上部を確実に把握する形状を成形する事により、上方からの負荷により下方にずれない構造とした、支柱受け３  を接続する平面接続面ファスナー４ｄを、非伸縮性強靭帯４ａから伸縮性柔軟帯４ｃを上下に横断する様に備える事により、支柱受け３から伝えられる上半身体重負荷を受け止め、骨盤腸骨上部に伝達する、平面接続面ファスナー４ｄは、上下方向及び前後方向の余裕を十分に取り、支柱受け３  の取り付け位置微調整可能な構造とする、腰部骨盤ベルト４の、腰部への取り付けは、平面接続面ファスナー４ｅにより行う。
【実施例１】
【００２９】
本考案者は、歩行不全に陥り、ＭＲＩ検査の結果、腰椎椎間板ヘルニア
の切除手術を宣告されたが、取りあえず、通院牽引治療を受けながら、自
宅で牽引出来ないか検討しているうちに、身体装着、歩行中も牽引状態が
可能な装具が出来ないか、試作試行を繰り返し、往復７０分の通勤時に着
用試行をしながら、約６か月で、症状が改善され、装具なしでも日常生活
が可能な状態になった。
【実施例２】
【００３０】
症状改善後も、長距離のウオーキングや旅行、重量物の運搬時には、予
防的に本装具を着用している。
【産業上の利用可能性】
【００３１】
歩行不全、腰痛等に悩んでいる人が多数いる現実があり、症状改善に腰
椎牽引が有効な対象者は、日常生活の中での症状改善が可能となる。
【符号の説明】
【００３２】
１．  腰部骨盤ベルト４
４ａ  非伸縮性強靭帯
４ｂ  骨盤包容帯
４ｃ  伸縮性柔軟帯
４ｄ  平面接続面ファスナー
４ｅ  平面接続面ファスナー
２．腋受け具１
１ａ  腋受け部
１ｂ  ずれ防止部
１ｃ  支柱接続部
１ｄ  落下防止紐
１ｅ  安定紐
３．支柱２
２ａ  支柱下部
４．支柱受け３
３ａ  支柱接続部
３ｂ  止めピン
３ｃ  平面接続面ファスナー
【図１】
0003189938.tif 000003
【図２】
0003189938.tif 000004
【図３】
0003189938.tif 000005
【図４】
0003189938.tif 000006
【図５】
0003189938.tif 000007
【図６】
0003189938.tif 000008
【図７】
0003189938.tif 000009
【図８】
0003189938.tif 000010
【図９】
0003189938.tif 000011
【図１０】
0003189938.tif 000012
【手続補正書】
【提出日】平成26年2月4日(2014.2.4)
【手続補正１】
【補正対象書類名】実用新案登録請求の範囲
【補正対象項目名】全文
【補正方法】変更
【補正の内容】
【実用新案登録請求の範囲】
【請求項１】
腋受け具（１）と、支柱（２）と、支柱受け（３）と、腰部骨盤ベルト（４）とからなる身体装着型腰椎負荷軽減装具であって、腋受け具（１）と支柱（２）の接続部は、腕の動き及び上半身の捻じれ応力を支柱（２）に伝えない、回転可能な嵌合構造で、支柱（２）との分離及び再接合が容易に行える構造とし、左右の腋受け具（１）に連結され、首の後ろを通る長さの落下防止紐（１ｄ）と、１端がこの落下防止紐（１ｄ）にスライド可能に連結され、他端が腋受け具（１）に連結された安定紐（１e）とを設け、使用時には、腕を腋受け具（１）と、落下防止紐（１ｄ）と、安定紐（１e）で囲まれた輪の中に通し、一時的に支柱（２）との接続を外しても、腋受け具（１）を腋の下に保持して落下しない様にし、上半身の荷重を受け継ぐ支柱（２）は、胸部側面の体形に適合した曲線状とし密着性を向上し、腋部と腰部を連結する為、上半身の捻じれ、前屈等の応力を解消する機構を脇受け具（１）と、負荷を受け継ぐ支柱受け（３）との間に持つ、支柱受け（３）は、腰部骨盤ベルト（４）に平面接続面ファスナー（３ｃ）で装着されるが、腰部骨盤ベルト（４）は、ベルト上部に骨盤上部のウエスト部を締め付ける非伸縮性強靭帯（４a）を持ち、ベルトがずれ落ちるのを防止し、その下部に骨盤包容帯（４ｂ）を有し、骨盤全体を包握する、骨盤包容帯（４ｂ）の、左右骨盤腸骨部には伸縮性柔軟帯（４ｃ）を備える事により、骨盤腸骨部を確実に包握する膨らみ形状を成形し、上方からの負荷により下方にずれず、骨盤全体を把握する事が出来る構造とした、支柱受け（３）を装着する平面接続面ファスナー（４ｄ）は、幅を支柱受け（３）の1.5倍とし、骨盤腸骨頂点部分の上部にある非伸縮性強靭帯から、下方に向け伸縮性柔軟帯（４ｃ）下部まで取り付ける事により、支柱受け（３）の取り付け位置を上下・前後の微調整が可能となり、体型に合わせた最適な装着状態が可能となったので、日常生活の中で腰椎牽引が出来る、身体装着型  腰椎負荷軽減装具。